【事件の表示】
　特願２０１５−１２６３０号「照明器具」拒絶査定不服審判事件〔平成２８年８月４日出願公開、特開２０１６−１３９４８６号、請求項の数（１）〕について、次のとおり審決する。
【結　論】
　原査定を取り消す。
　本願の発明は、特許すべきものとする。
【理　由】
第１　手続の経緯
　本願は、平成２７年１月２６日の出願であって、平成３０年８月２８日付けで拒絶理由が通知され、同年１０月３日に意見書及び手続補正書が提出され、平成３１年３月８日付けで拒絶理由（最後）が通知され、同年４月８日に意見書及び手続補正書が提出されたが、令和１年９月１１日付けで平成３１年４月８日の手続補正について補正の却下の決定がされるとともに拒絶査定（以下「原査定」という。）がされ、これに対し、同年１１月２８日に拒絶査定不服審判の請求がされると同時に手続補正書が提出されたものである。
第２　原査定の概要
　原査定の概要は次のとおりである。
　本願の請求項１ないし７に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　刊行物等
１．特開２０１４−１７９２０９号公報
２．特開２０１４−１２７３５０号公報
３．特開２０１４−５６６４８号公報
４．特開２０１４−１３９９４４号公報
５．特許第５６０２２８９号公報
　以下それぞれ「引用文献１ないし５」という。
第３　本願発明
　本願の請求項１に係る発明（以下「本願発明」という。）は、令和１年１１月２８日付けの手続補正により補正された特許請求の範囲の請求項１に記載された事項により特定される発明であり、以下のとおりの発明である。
「【請求項１】
　発光素子が実装面に実装される長尺状の発光素子基板と、
　平板状の長尺状をなし、前記平板状の一方の面の長手方向に沿って前記発光素子基板が取り付けられ、前記一方の面の裏面となる他方の面の長手方向に沿って一対の連結具が取り付けられる取付部と、
　前記取付部の前記他方の面の前記長手方向に沿って前記一対の連結具の間に取り付けられている電源ケースであって、前記他方の面の前記長手方向へ見て前記一対の連結具と重なるように取り付けられている、前記発光素子を点灯させる電気回路が収納される長手形状の中空の電源ケースと
を備え、
　前記電源ケースは、
　前記取付部の長手方向に沿い、前記取付部に対向し、かつ、前記他方の面と隙間を隔てて配置されるケース対向部と、
　前記ケース対向部の前記長手方向に沿う一方の長辺から立ち上がり、立ち上がりの終端となる第一の終端長辺部を有する第一のケース側面部と、
　前記ケース対向部の長手方向に沿う他方の長辺から立ち上がり、立ち上がり終端となる第二の終端長辺部を有し、前記第二の終端長辺部が前記第一の終端長辺部よりも前記第一のケース側面部の立ち上がり方向で前記ケース対向部に近接する第二のケース側面部と、
　前記第一の終端長辺部から、前記ケース対向部に対向して前記第二のケース側面部に向かう方向の途中まで延びる対向天面部と、
　前記対向天面部の終端となる天面終端長辺部と前記第二の終端長辺部とを接続する傾斜天面部と
を有する光源ユニットと、
　平板状の長尺をなす平板部と、前記平板部の長手方向に沿う一方の平板長辺部から立ち上がる平板状の第一の側壁部と、前記平板部の長手方向に沿う他方の平板長辺部から立ち上がる平板状の第二の側壁部とから成る凹形状なす凹部、及び、前記一対の連結具と係合する一対のバネ部を有する器具本体と
を備え、
　前記光源ユニットは、
　前記一対の連結具が前記一対のバネ部と連結することで前記器具本体に取り付けられると共に、前記対向天面部が前記平板部と対向するように前記電源ケースが前記凹部に収納され、前記傾斜天面部が、前記平板部と前記第二の側壁部とともに仕切る空間を形成している照明器具。」
第４　引用文献、引用発明等
１　引用文献１について
（１）引用文献１に記載された事項
　原査定の拒絶の理由に引用された引用文献１には、図面とともに次の事項が記載されている（下線は、当審が付した。以下同様である。）。
（１ａ）
「【０００８】
　本発明は上記問題点に鑑みて為されたものであり、その目的とするところは、発光素子で発生する熱の器具本体への放熱効率を高めた照明器具を提供することにある。」
（１ｂ）
「【００１５】
　（実施形態１）　本実施形態の
照明器具Ａ
天井直付け型の照明器具
天井材１００
に取り付けられる器具本体１と、器具本体１に対して着脱自在に取り付けられる光源ユニット２とを備える
【００１６】
　
器具本体１は、板金に曲げ加工を施すことで長尺且つ上面
が開口する扁平な箱状に形成され、
下側
には光源ユニット２を収容するための矩形の凹部１１が全長に亘って設けられ
【００１７】
　また、凹部１１の底面部１１１には、電線を通すための孔１１１ａが前後方向（長手方向）に沿って複数（図２では５個）設けられ、さらに吊ボルトを通すための孔１１１ｂが前後方向における両端寄りにそれぞれ２個ずつ設けられている。また、凹部１１の底面部１１１には端子台（図示せず）が取り付けられ、端子台と後述する電源装置２４の間は電線により接続される。
【００１８】
　
光源ユニット２は、複数
の基板２２と、基板２２が取り付けられる取付部材２１と、
基板２２に所定の点灯電力を供給する電源装置２４と、光源ユニット２を器具本体１に取り付けるための取付ばね２５（
とを具備
【００１９】
　
基板２２は、前後方向に長い矩形板状に形成されたプリント基板２２１からなり、プリント基板２２１の下面には複数の
発光素子
が前後方向（長手方向）に沿って実装され
【００２０】
　また、各基板２２において隣接する基板２２と対向する端部には、電源供給用のコネクタ２２４が実装されている。そして、両基板２２，２２のコネクタ２２４，２２４を接続することで、一方（図２中の右側）の基板２２から他方（図２中の左側）の基板２２へ点灯電力を供給することができる。
【００２１】
　
取付部材２１は、板金に曲げ加工を施すことでＵ字状に形成され、長尺且つ矩形板状に形成された底面部２１１と、底面部２１１の
幅方向
における両端から上向きに延出する第１側面部２１２及び第２側面部２１３とで構成され
【００２２】
　
第１側面部２１２の先端には、側方
へ突出する突部２１２ａが全長に亘って設けられ、さらに突部２１２ａに先端には、上向きに延出する接触部２１２ｂが全長に渡って設けられ
第２側面部２１３の先端には、側方
へ突出する突部２１３ａが全長に亘って設けられ、さらに突部２１３ａの先端には、上向きに延出する接触部２１３ｂが全長に渡って設けられ
【００２３】
　底面部２１１の前端部（図２中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。
【００２４】
　また、
取付部材２１の四隅近傍には、取付ばね２５がそれぞれ取り付けられており、器具本体１の凹部１１の四隅近傍に設けられた各係止部
に対応する取付ばね２５をそれぞれ係合させることで、光源ユニット２が器具本体１に取り付けられる
基板２２は、
取付部材２１の底面部２１１の一部を切り起こすことで形成された係止爪
により取付部材２１に固定され
【００２５】
　カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の拡散面２３１を有している（図１参照）。さらに、カバー部材２３の左右方向における両端部には、図１に示すように、光源ユニット２を器具本体１に取り付けた状態で、上下方向において器具本体１の凹部１１の開口端縁と重なる延出部２３２がそれぞれ設けられている。
【００２６】
　また、カバー部材２３の左右方向において各延出部２３２の内側には、上向き（取付部材２１側）に延出する第１脚部２３３及び第２脚部２３４がそれぞれ全長に亘って設けられている。さらに、第１脚部２３３の先端には、側方（図１中の右側）に延出する引掛部２３３ａが設けられ、第２脚部２３４の先端には、側方（図１中の左側）に延出する引掛部２３４ａが設けられている。
【００２７】
　
電源装置２４は、電源基板２４１と、電源基板２４１を収納するための収納ケース２４２とを具備する
【００２８】
　
収納ケース２４２は、
取付部材２１の底面部２１１との対向面
が開口し且つ前後方向に長い矩形箱状に形成され
開口側が取付部材２１の底面部２１１と対向するようにして、
取付部材２１の底面部２１１に取り付けられる
【００２９】
　次に、光源ユニット２の組立手順について説明する。まず最初に、作業者は、電源装置２４を取付部材２１の底面部２１１の上面に固定し、さらに上記係止爪により２枚の基板２２，２２を取付部材２１の底面部２１１の下面に固定する。その後、作業者は、基板２２のコネクタ２２３から導出する電線を取付部材２１の底面部２１１に設けた孔２１１ａに通し、その端部を電源装置２４に接続する。
【００３０】
　そして最後に、作業者は、開口側を上向きにした状態でカバー部材２３を取付部材２１に組み付ける。このとき、第１脚部２３３の引掛部２３３ａが第１側面部２１２の突部２１２ａと係合し、第２脚部２３４の引掛部２３４ａが第２側面部２１３の突部２１３ａと係合する。上述の手順により、光源ユニット２が組み立てられる。
【００３１】
　続けて、照明器具Ａの施工手順について説明する。なお、以下の説明では、端子台が予め器具本体１に取り付けられているものとして説明する。まず最初に、作業者は、天井裏に先行配線された電源線（図示せず）を器具本体１の孔１１１ａに通し、さらに天井材１００より露出する吊ボルト（図示せず）を孔１１１ｂに通した後、ナット（図示せず）をねじ込んで器具本体１を天井材１００に固定する。
【００３２】
　その後、作業者は、上記電源線の端部を上記端子台に接続し、さらに上記端子台と電源装置２４の間を電線により接続する。そして最後に、作業者は、
電源装置２４が器具本体１の凹部１１内に収容されるようにして光源ユニット２を器具本体１に組み付ける
【００３３】
　ここで、従来の照明器具では、ＬＥＤで発生した熱をブラケット及びホルダを介して器具本体に放熱する構成となっているが、ブラケットとホルダが接触しているのは係止片と係止溝の係合部分のみであり、そのため器具本体への放熱効率がよくなかった。
【００３４】
　そこで、本実施形態では、図１に示すように、
光源ユニット２を器具本体１に取り付けた状態において、第１側面部２１２の接触部２１２ｂ及び第２側面部２１３の接触部２１３ｂを凹部１１の対応する側面部１１２
にそれぞれ面接触させ
取付部材２１と器具本体１を面接触させることで、取付部材２１から器具本体１への放熱面積を大きくすることができ、これにより器具本体１への放熱効率を高めることができる
【００３５】
　なお、本実施形態では、第１側面部２１２及び第２側面部２１３の両方に接触部を設けたが、第１側面部２１２又は第２側面部２１３の少なくとも一方に接触部が設けられていればよい。また、本実施形態では、第１側面部２１２の接触部２１２ｂ及び第２側面部２１３の接触部２１３ｂをそれぞれ全長に亘って設けたが、凹部１１の側面部１１２に面接触するようになっていれば、全長に亘って設けなくてもよい。」
（１ｃ）
　図１〜４は、以下のとおりである。
（２）引用文献１に記載された発明
ア
　摘記（１ｂ）における、「収納ケース２４２は、」「取付部材２１の底面部２１１との対向面が開口し且つ前後方向に長い矩形箱状に形成され」、「開口側が取付部材２１の底面部２１１と対向するようにして、」「取付部材２１の底面部２１１に取り付けられる」（段落【００２８】）という構成と、「取付部材２１の四隅近傍には、取付ばね２５がそれぞれ取り付けられており、器具本体１の凹部１１の四隅近傍に設けられた各係止部に対応する取付ばね２５をそれぞれ係合させることで、光源ユニット２が器具本体１に取り付けられる」（段落【００２４】）という構成と、「電源装置２４が器具本体１の凹部１１内に収容されるようにして光源ユニット２を器具本体１に組み付ける」（段落【００３２】）という構成に関して、図４を参照すると、これらの構成は、「収納ケース２４２は、」「取付部材２１の底面部２１１との対向面が開口し且つ前後方向に長い矩形箱状に形成され、」「開口側が取付部材２１の底面部２１１と対向するようにして、」取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、「取付部材２１の底面部２１１」の上面「に取り付けられ、」「取付部材２１の底面部２１１の四隅近傍には、取付ばね２５がそれぞれ取り付けられており、器具本体１の凹部１１の四隅近傍に設けられた各係止部に対応する取付ばね２５をそれぞれ係合させることで、」「電源装置２４が器具本体１の凹部１１内に」隙間を有して「収容されるようにして」「光源ユニット２が器具本体１に取り付けられる」という構成として特定できる。
イ
　したがって、摘記（１ｂ）及び図１（摘記（１ｃ）参照）から、引用文献１には、次の発明（以下「引用発明」という。）が記載されていると認められる。
　［引用発明］
「天井材１００に取り付けられる器具本体１と、器具本体１に対して着脱自在に取り付けられる光源ユニット２とを備える天井直付け型の照明器具Ａであり、
　器具本体１は、板金に曲げ加工を施すことで長尺且つ上面が開口する扁平な箱状に形成され、下側には光源ユニット２を収容するための矩形の凹部１１が全長に亘って設けられ、
　光源ユニット２は、複数の基板２２と、基板２２が取り付けられる取付部材２１と、基板２２に所定の点灯電力を供給する電源装置２４と、光源ユニット２を器具本体１に取り付けるための取付ばね２５とを具備し、
　基板２２は、前後方向に長い矩形板状に形成されたプリント基板２２１からなり、プリント基板２２１の下面には複数の発光素子が前後方向（長手方向）に沿って実装され、
　取付部材２１は、板金に曲げ加工を施すことでＵ字状に形成され、長尺且つ矩形板状に形成された底面部２１１と、底面部２１１の幅方向における両端から上向きに延出する第１側面部２１２及び第２側面部２１３とで構成され、第１側面部２１２の先端には、側方へ突出する突部２１２ａが全長に亘って設けられ、さらに突部２１２ａに先端には、上向きに延出する接触部２１２ｂが全長に渡って設けられ、第２側面部２１３の先端には、側方へ突出する突部２１３ａが全長に亘って設けられ、さらに突部２１３ａの先端には、上向きに延出する接触部２１３ｂが全長に渡って設けられ、
　基板２２は、取付部材２１の底面部２１１の一部を切り起こすことで形成された係止爪により取付部材２１の底面部２１１の下面に固定され、
　電源装置２４は、電源基板２４１と、電源基板２４１を収納するための収納ケース２４２とを具備し、収納ケース２４２は、取付部材２１の底面部２１１との対向面が開口し且つ前後方向に長い矩形箱状に形成され、開口側が取付部材２１の底面部２１１と対向するようにして、取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ、
　取付部材２１の底面部２１１の四隅近傍には、取付ばね２５がそれぞれ取り付けられており、器具本体１の凹部１１の四隅近傍に設けられた各係止部に対応する取付ばね２５をそれぞれ係合させることで、電源装置２４が器具本体１の凹部１１内に隙間を有して収容されるようにして、光源ユニット２が器具本体１に取り付けられ、
　光源ユニット２を器具本体１に取り付けた状態において、第１側面部２１２の接触部２１２ｂ及び第２側面部２１３の接触部２１３ｂを凹部１１の対応する側面部１１２にそれぞれ面接触させ、取付部材２１と器具本体１を面接触させることで、取付部材２１から器具本体１への放熱面積を大きくすることができ、これにより器具本体１への放熱効率を高めることができる
　天井直付け型の照明器具。」
２　引用文献２について
　原査定の拒絶の理由に引用された引用文献２には、図面とともに次の事項が記載されている。
（２ａ）
「【０００２】
　従来、天井に埋め込まれた状態で施工される器具本体と、器具本体の表側に取り付けられる安定器と、安定器を覆うようにして器具本体に取り付けられる反射板とを備える照明器具があった（例えば特許文献１参照）。この安定器は別途の部品を使用して器具本体に取り付けられていた。
・・・
【００２１】
　ボディ１３は底板１３ａと一対の側板１３ｂを備えている。底板１３ａは前後方向に長い矩形板状に形成される。側板１３ｂは、底板１３ａの長手方向に沿う左右両側縁から上側に各々突出する。側板１３ｂは、例えば底板１３ａの両側の側縁部を、長手方向に沿って底板１３ａと直交するように折り曲げて形成される。このようにボディ１３は、底板１３ａと側板１３ｂとで前後方向から見た形状がＵ形に形成され、上側及び前後両側に開放されている。底板１３ａの上側には、底板１３ａと並行するように回路基板１１が、例えばねじ固定などの方法で取り付けられている。底板１３ａの前後方向（長手方向）における一端側の端部は第２突出部４ａとなり、第２突出部４ａには左右方向の中央に穴４ｄが形成されている。尚、図２（ａ）に示すように、穴４ｄの形状は、一辺が底板１３ａの端縁と平行な三角形状に形成されているが、穴４ｄの形状は後述する突出部４ｃと嵌合する形状であれば、適宜の形状でよい。」
３　引用文献３について
　原査定の拒絶の理由に引用された引用文献３には、図面とともに次の事項が記載されている。
（３ａ）
「【０００８】
　そこで、本発明は、
種々の屋外用照明器具に対して電源装置用ケースを標準化し、さらに、各照明器具内に２以上のＬＥＤ電源装置を効率良く配置することを可能とする電源装置用ケース及びそれを用いたＬＥＤ電源装置を提供することを課題とする。
・・・
【００１８】
実施例．
　図３は本発明の実施例によるケース４０を一方向から見た鳥瞰図であり、図４はケース４０を図３とは異なる方向から見た鳥瞰図である。図３及び図４に示すように、本実施例では、ケース４０の長手方向をｘ軸、ｘ軸に対して垂直な方向をｙ軸、ｘ軸及びｙ軸に対して垂直な短手方向をｚ軸とする。ケース４０はアルミ、ステンレス等の金属からなるものであればよい。また、以降の説明から分かるように、本実施例のＬＥＤ電源装置４は電源装置用ケース４０（以下、「ケース４０」という）及び回路基板５０を備えるものとする。
・・・
【００４６】
変形例２．
　上記実施例では、ケース４０の閉空間が直方体であり、ｙ−ｚ断面が長方形となるように構成したが、ケース４０のｙ−ｚ断面形状はこれに限られない。例えば、
図１３のｙ−ｚ断面図に示すように、大面部４４と中面部４５を結ぶ肩部分を傾斜面部４７によって形成するようにしてもよい。
肩部分を傾斜面部４７
で構成することにより、ポール２０内又は本体部３０内における他の部材との干渉を回避し易くなり、ＬＥＤ電源装置４の配置の自由度が高まる。
（３ｂ）
　図１３は、以下のとおりである。
４　引用文献４について
　原査定の拒絶の理由に引用された引用文献４には、図面とともに次の事項が記載されている。
（４ａ）
「【００１０】
（照明器具１００の組付関係）
　
既設シャーシ１は既に天井に配置されている。電源取付金具４は、図１、図２に示すように、光源取付金具３にネジ６ａ，６ｂで取り付けられる。光源取付金具３は、
反射板２に、ねじ１０ａ，１０ｂで取り付けられる。そして、反射板２は、
金具５ａ，５ｂで既設シャーシ１に取り付けられる。
【００１１】
（反射板２）
　反射板２は金属製である。反射板２は、図３、図４に示すように、長手方向に延びて内部に空間を有する蛍光灯用の逆富士形と同形状の反射板であり、発光面には開口２０４がある。反射板２は、図２、図６に示すように、反射面として機能する一方の斜面２０１と、反射面として機能する他方の斜面２０２とを有する。
【００１２】
（光源取付金具３）
　図６も参照して説明する。光源取付金具３は金属製である。光源取付金具３は、反射板２の内部の空間に配置され、反射板２の長手方向に延びる長尺形状である。光源取付金具３は、反射板２の長手方向にわたって反射板２の一方の斜面２０１の裏側の面に対向する第１の斜面３０１と、反射板２の長手方向にわたって他方の斜面２０２の裏側の面に対向する第２の斜面３０２とが、それぞれ一方の斜面２０１の裏側の面と他方の斜面２０２の裏側の面とに熱的に接続（範囲５１、５２）している。「熱的に接続する」とは、この場合、光源取付金具３と反射板２とが面接触することで、熱が伝導することを意味する。
光源取付金具３は、反射板２の外部に向けて光を放つ光源ユニット３５０が取り付けられる。
【００１３】
（電源取付金具４）
　電源取付金具４は金属製である。電源取付金具４は、光源取付金具３に取り付けられて光源取付金具３と熱的に接続する。ここで「熱的に接続する」とは、上記のとおりである。
電源取付金具４は、反射板２の長手方向に延びる長尺形状であり、光源ユニット３５０を点灯させる新規電源装置１１（電源装置）が取り付けられている。
【００１４】
（空気層）
　図６、図４に示すように、光源取付金具３は、平板を折り曲げた折曲形状である。光源取付金具３は、第１の斜面３０１に対応する第１の側板３１０と、第２の斜面３０２に対応する第２の側板３２０と、第１の側板３１０と第２の側板３２０とに対して底面に相当する底板３３０とを含む折曲形状である。電源取付金具４は、底板３３０の上面との間に空間４０１を保って底板３３０の上面を覆いながら反射板２の長手方向に延びることで空間４０１を形成している。すなわち、
光源取付金具３と電源取付金具４との間には空間４０１による空気層が存在するので、光源取付金具３が電源取付金具４からもらう「もらい熱」が減少する効果がある。
５　引用文献５について
　原査定の拒絶の理由に引用された引用文献５には、図面とともに次の事項が記載されている。
（５ａ）
「【００２４】
（２．発光ユニット）
　
発光ユニット２は、図２乃至図３に示すように、複数のＬＥＤ素子２６が実装されたＬＥＤ基板２４と、ＬＥＤ素子２６を点灯させる電源回路２８とを配設した放熱板２３と、この放熱板２３を覆う透光性カバー２１とを有している。
ＬＥＤ基板２４と放熱版２３を覆うように配置された透光性カバー２１により発光ユニット２として一体化し、透光性カバー２１の上面に器具本体１と装着するためのＶ字ばね３０とＶ字ばね固定部品３１が配設されている。
・・・
【００３９】
本発明においては、
特に図３に示すように、この放熱板２３の上方に電源回路２８が、下方にＬＥＤ基板２４が固定されて、放熱を行える構造となっている。この場合、電源回路２８は、図３に示すように、放熱板２３との間に空間を設けて、放熱板２３に配設されている。
【００４０】
また、その空間を設けるための放熱板２３の構造を利用して、図３及び図５に示すように、放熱板２３の下方にＬＥＤ基板２４をネジ２９により固定するために、ＬＥＤ基板２４の固定孔に合わせて放熱板２３にネジ２９を挿入する溝部２３ｄが設けられている。この溝部２３ｄは、アルミニウムにより一体に成形されているので、ステンレス製のネジ２９等を用いることにより、予め又は新たにネジ溝を設けることなく、ネジ２９を圧入することで、放熱板２３にネジ溝を形成しながらＬＥＤ基板２４を放熱板２３に固定している。これにより、この溝部２３ｄにネジ２９を回し込みながら圧入していくだけで同時にネジ溝も形成されていくため、放熱板２３に予め又は設置時に新たにネジ溝を形成しておくことなく、ＬＥＤ基板２４を放熱板２３に固定することができ、簡易な構造で、製造のコストと手間を削減することができる。」
（５ｂ）
　図２及び図３は、以下のとおりである。
第５　対比・判断
１　対比
　本願発明と引用発明とを対比する。
（１）
　引用発明の「発光素子」、「プリント基板２２１の下面」及び「長い矩形板状に形成されたプリント基板２２１」は、それぞれ、本願発明の「発光素子」、「実装面」及び「長尺状の発光素子基板」に相当する。
　したがって、引用発明の「プリント基板２２１の下面には複数の発光素子が前後方向に沿って実装され」る「前後方向に長い矩形板状に形成されたプリント基板２２１」及び「前後方向に長い矩形板状に形成されたプリント基板２２１からなり、プリント基板２２１の下面には複数の発光素子が前後方向（長手方向）に沿って実装され」る「基板２２」は、いずれも、本願発明の「発光素子が実装面に実装される長尺状の発光素子基板」に相当する。
（２）
ア
　引用発明の「板金に曲げ加工を施すことでＵ字状に形成され、長尺且つ矩形板状に形成された底面部２１１と、底面部２１１の左右方向における両端から上向きに延出する第１側面部２１２及び第２側面部２１３とで構成され、第１側面部２１２の先端には、側方へ突出する突部２１２ａが全長に亘って設けられ、さらに突部２１２ａに先端には、上向きに延出する接触部２１２ｂが全長に渡って設けられ、第２側面部２１３の先端には、側方へ突出する突部２１３ａが全長に亘って設けられ、さらに突部２１３ａの先端には、上向きに延出する接触部２１３ｂが全長に渡って設けられ」る「取付部材２１」の「長尺且つ矩形板状に形成された底面部２１１」は、本願発明の「平板状の長尺状をな」す「取付部」に相当する。
イ
　上記アを踏まえると、引用発明の「基板２２は、取付部材２１の底面部２１１の一部を切り起こすことで形成された係止爪により取付部材２１の底面部２１１の下面に固定され」る構成の「取付部材２１の底面部２１１の下面」は、本願発明の「平板状の一方の面」に相当し、当該「下面」も、引用発明の「長尺且つ矩形板状に形成された底面部２１１」と同様に、長尺状をなしているといえる。
　そして、引用発明の「前後方向に長い矩形板状に形成されたプリント基板２２１からなり、プリント基板２２１の下面には複数の発光素子が前後方向（長手方向）に沿って実装され」る「基板２２」（発光素子が実装面に実装される長尺状の発光素子基板（上記（１）参照））は、「前後方向に長い矩形板状に形成されたプリント基板２２１」の長尺状の「前後方向（長手方向）に沿って」「複数の発光素子が」「実装され」る「基板２２」であり、この長尺状の長手方向は、上記で述べた、引用発明の長尺状をなしている「取付部材２１の底面部２１１の下面」の長手方向に一致していることが明らかである。
　したがって、上記アを踏まえると、引用発明の「基板２２は、取付部材２１の底面部２１１の一部を切り起こすことで形成された係止爪により取付部材２１の底面部２１１の下面に固定され」る構成の「取付部材２１の底面部２１１」は、本願発明の「前記平板状の一方の面の長手方向に沿って前記発光素子基板が取り付けられ」る「取付部」に相当する。
ウ
　引用発明の「取付部材２１の底面部２１１の下面」は、本願発明の「平板状の一方の面」に相当するから（上記イ）、引用発明の「取付部材２１の底面部２１１の上面」は、本願発明の「前記一方の面の裏面となる他方の面」に相当する。
　このことと上記アから、引用発明の「収納ケース２４２は、」「取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ、取付部材２１の底面部２１１の四隅近傍には、取付ばね２５がそれぞれ取り付けられて」いる構成における「取付部材２１の底面部２１１の上面の一端部側の両隅にそれぞれ取り付けられた取付ばね２５、取付ばね２５」と「取付部材２１の底面部２１１の上面の他端部側の両隅にそれぞれ取り付けられた取付ばね２５、取付ばね２５」は、本願発明の「前記一方の面の裏面となる他方の面の長手方向に沿って」「取付部」に「取り付けられる」「一対の連結具」に相当する。
　また、引用発明の上記構成における「取付部材２１の底面部２１１」は、本願発明の「前記一方の面の裏面となる他方の面の長手方向に沿って一対の連結具が取り付けられる取付部」に相当する。
エ
　上記ア〜ウを踏まえると、
　引用発明の上記アの「取付部材２１」の「長尺且つ矩形板状に形成された底面部２１１」（本願発明の「平板状の長尺状をな」す「取付部」に相当。）、上記イの「取付部材２１の底面部２１１」（本願発明の「前記平板状の一方の面の長手方向に沿って前記発光素子基板が取り付けられ」る「取付部」に相当。）、上記ウの「取付部材２１の底面部２１１の上面の一端部側の両隅にそれぞれ取り付けられた取付ばね２５、取付ばね２５」と「取付部材２１の底面部２１１の上面の他端部側の両隅にそれぞれ取り付けられた取付ばね２５、取付ばね２５」（本願発明の「前記一方の面の裏面となる他方の面の長手方向に沿って」「取付部」に「取り付けられる」「一対の連結具」に相当。）及び「取付部材２１の底面部２１１」（本願発明の「前記一方の面の裏面となる他方の面の長手方向に沿って一対の連結具が取り付けられる取付部」に相当。）は、
　本願発明の「平板状の長尺状をなし、前記平板状の一方の面の長手方向に沿って前記発光素子基板が取り付けられ、前記一方の面の裏面となる他方の面の長手方向に沿って一対の連結具が取り付けられる取付部」に相当する。
（３）
ア
　引用発明の「電源装置２４は、電源基板２４１と、電源基板２４１を収納するための収納ケース２４２とを具備し、収納ケース２４２は、取付部材２１の底面部２１１との対向面が開口し且つ前後方向に長い矩形箱状に形成され、開口側が取付部材２１の底面部２１１と対向するようにして、取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ」る構成の「収納ケース２４２」に着目すると、以下のことがいえる。
イ
　引用発明の上記アの構成を備える「収納ケース２４２」は、「取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ」る「収納ケース２４２」であって、「電源基板２４１を収納するための」、「取付部材２１の底面部２１１との対向面が開口し且つ前後方向に長い矩形箱状に形成され」る「収納ケース２４２」である。
ウ
　引用発明の「取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ」る構成は、本願発明の「前記取付部の前記他方の面の前記長手方向に沿って前記一対の連結具の間に取り付けられている」構成に相当する。
　また、電源基板に発光素子を点灯させる電気回路が形成されることは技術的に明らかであるから、引用発明の「電源基板２４１」は、本願発明の「前記発光素子を点灯させる電気回路」に相当し、引用発明の「取付部材２１の底面部２１１との対向面が開口し且つ前後方向に長い矩形箱状に形成され」る構成は、本願発明の「長手形状の中空」の構成に相当する。
　そして、引用発明の「収納ケース２４２」は、本願発明の「電源ケース」に相当する。
エ
　上記イで述べた、引用発明の上記アの構成を備える「収納ケース２４２」は、上記ウの相当関係を踏まえると、「前記取付部の前記他方の面の前記長手方向に沿って前記一対の連結具の間に取り付けられている」「電源ケース」であって、「前記発光素子を点灯させる電気回路を収納するための」、「長手形状の中空」の「電源ケース」であるから、引用発明の上記アの構成を備える「収納ケース２４２」と、本願発明の「前記取付部の前記他方の面の前記長手方向に沿って前記一対の連結具の間に取り付けられている電源ケースであって、前記他方の面の前記長手方向へ見て前記一対の連結具と重なるように取り付けられている、前記発光素子を点灯させる電気回路が収納される長手形状の中空の電源ケース」とは、「前記取付部の前記他方の面の前記長手方向に沿って前記一対の連結具の間に取り付けられている電源ケースであって、前記発光素子を点灯させる電気回路が収納される長手形状の中空の電源ケース」において共通している。
（４）
ア
　引用発明の「板金に曲げ加工を施すことで長尺且つ上面が開口する扁平な箱状に形成され、下側には光源ユニット２を収容するための矩形の凹部１１が全長に亘って設けられ」る「器具本体１」における、「板金に曲げ加工を施すことで長尺」「な箱状に形成され」た「器具本体１」の「下側」の「矩形の凹部１１」は、「板金」で「長尺」であるから、「矩形の凹部１１」の底は、平板状の長尺をなす平板部から成り、「矩形の凹部１１」の側部は、前記平板部の長手方向に沿う一方の平板長辺部から立ち上がる平板状の第一の側壁部と、前記平板部の長手方向に沿う他方の平板長辺部から立ち上がる平板状の第二の側壁部とから成っていることが明らかである。
　そして、引用発明の「器具本体１」は、本願発明の「器具本体」に相当する。
　そうすると、引用発明の上記の「器具本体１」における、「板金に曲げ加工を施すことで長尺」「な箱状に形成され」た「器具本体１」の「下側」の「矩形の凹部１１」は、本願発明の「平板状の長尺をなす平板部と、前記平板部の長手方向に沿う一方の平板長辺部から立ち上がる平板状の第一の側壁部と、前記平板部の長手方向に沿う他方の平板長辺部から立ち上がる平板状の第二の側壁部とから成る凹形状なす凹部」に相当する。
イ
　したがって、引用発明の「板金に曲げ加工を施すことで長尺且つ上面が開口する扁平な箱状に形成され、下側には光源ユニット２を収容するための矩形の凹部１１が全長に亘って設けられ」る「器具本体１」と、本願発明の「平板状の長尺をなす平板部と、前記平板部の長手方向に沿う一方の平板長辺部から立ち上がる平板状の第一の側壁部と、前記平板部の長手方向に沿う他方の平板長辺部から立ち上がる平板状の第二の側壁部とから成る凹形状なす凹部、及び、前記一対の連結具と係合する一対のバネ部を有する器具本体」とは、「平板状の長尺をなす平板部と、前記平板部の長手方向に沿う一方の平板長辺部から立ち上がる平板状の第一の側壁部と、前記平板部の長手方向に沿う他方の平板長辺部から立ち上がる平板状の第二の側壁部とから成る凹形状なす凹部を有する器具本体」において共通している。
（５）
ア
　引用発明の「光源ユニット２」は、本願発明の「光源ユニット」に相当する。
　そして、上記（１）〜（３）で述べたとおり、引用発明の「基板２２」、「取付部材２の底面部２１１」及び「収納ケース２４２」は、それぞれ、本願発明の「発光素子基板」、「取付部」及び「電源ケース」に相当する。
　そうすると、引用発明の「光源ユニット２は、複数の基板２２と、基板２２が取り付けられる取付部材２１と、基板２２に所定の点灯電力を供給する電源装置２４と、光源ユニット２を器具本体１に取り付けるための取付ばね２５とを具備」する構成、及び、「電源装置２４は、電源基板２４１と、電源基板２４１を収納するための収納ケース２４２とを具備」する構成、すなわち、引用発明の「複数の基板２２と」、「取付部材２１（底面部２１１を構成要素としている。）と」、「収納ケース２４２」「を具備」する「電源装置２４」「とを具備」する「光源ユニット２」の構成は、本願発明の「発光素子基板と」、「取付部と」、「電源ケースとを備える光源ユニット」の構成に相当する。
イ
　引用発明の「天井直付け型の照明器具Ａ」は、本願発明の「照明器具」に相当する。
　そして、上記（４）で述べたとおり、引用発明の「器具本体１」と、本願発明「器具本体」とは、「器具本体」において共通している。
　これらのことと、上記アを踏まえると、引用発明の「天井材１００に取り付けられる器具本体１と、器具本体１に対して着脱自在に取り付けられる光源ユニット２とを備える天井直付け型の照明器具Ａ」、すなわち、「器具本体１と」、「光源ユニット２とを備える天井直付け型の照明器具Ａ」は、本願発明の「光源ユニットと、」「器具本体とを備え」る「照明器具」に相当する。
ウ
　上記ア及びイから、引用発明の「天井材１００に取り付けられる器具本体１と、器具本体１に対して着脱自在に取り付けられる光源ユニット２とを備える天井直付け型の照明器具であり、」「光源ユニット２は、複数の基板２２と、基板２２が取り付けられる取付部材２１と、基板２２に所定の点灯電力を供給する電源装置２４と、光源ユニット２を器具本体１に取り付けるための取付ばね２５とを具備」する構成は、本願発明の「発光素子基板と」、「取付部と」、「電源ケースとを備える光源ユニットと、」「器具本体とを備え」る「照明器具」に相当する。
　以上から、本願発明と引用発明との一致点及び相違点は、以下のとおりである。
＜一致点＞
「発光素子が実装面に実装される長尺状の発光素子基板と、
　平板状の長尺状をなし、前記平板状の一方の面の長手方向に沿って前記発光素子基板が取り付けられ、前記一方の面の裏面となる他方の面の長手方向に沿って一対の連結具が取り付けられる取付部と、
　前記取付部の前記他方の面の前記長手方向に沿って前記一対の連結具の間に取り付けられている電源ケースであって、前記発光素子を点灯させる電気回路が収納される長手形状の中空の電源ケースと
を備える
光源ユニットと、
　平板状の長尺をなす平板部と、前記平板部の長手方向に沿う一方の平板長辺部から立ち上がる平板状の第一の側壁部と、前記平板部の長手方向に沿う他方の平板長辺部から立ち上がる平板状の第二の側壁部とから成る凹形状なす凹部を有する器具本体と
を備える
照明器具。」
＜相違点１＞
　「光源ユニット」の取り付けに係る構成に関して、
　本願発明は、光源ユニットが備える電源ケースが、「前記他方の面の前記長手方向へ見て前記一対の連結具と重なるように取り付けられ」、器具本体が、「前記一対の連結具と係合する一対のバネ部を有」し、前記光源ユニットは、「前記一対の連結具が前記一対のバネ部と連結することで前記器具本体に取り付けられる」構成であるのに対して、
　引用発明は、「光源ユニット２」が「具備」する「取付部材２１」が、「取付部材２１の底面部２１１の上面の一端部側の両隅にそれぞれ取り付けられた取付ばね２５、取付ばね２５」及び「取付部材２１の底面部２１１の上面の他端部側の両隅にそれぞれ取り付けられた取付ばね２５、取付ばね２５」を備え、「取付部材２１の底面部２１１の四隅近傍には、取付ばね２５がそれぞれ取り付けられており、器具本体１の凹部１１の四隅近傍に設けられた各係止部に対応する取付ばね２５をそれぞれ係合させることで、電源装置２４が器具本体１の凹部１１内に隙間を有して収容されるようにして、光源ユニット２が器具本体１に取り付けられ」る構成である点。
＜相違点２＞
　「光源ユニット」が「備え」る「電源ケース」の構成及び配置に関して、
　本願発明は、
「前記電源ケースは、
　前記取付部の長手方向に沿い、前記取付部に対向し、かつ、前記他方の面と隙間を隔てて配置されるケース対向部と、
　前記ケース対向部の前記長手方向に沿う一方の長辺から立ち上がり、立ち上がりの終端となる第一の終端長辺部を有する第一のケース側面部と、
　前記ケース対向部の長手方向に沿う他方の長辺から立ち上がり、立ち上がり終端となる第二の終端長辺部を有し、前記第二の終端長辺部が前記第一の終端長辺部よりも前記第一のケース側面部の立ち上がり方向で前記ケース対向部に近接する第二のケース側面部と、
　前記第一の終端長辺部から、前記ケース対向部に対向して前記第二のケース側面部に向かう方向の途中まで延びる対向天面部と、
　前記対向天面部の終端となる天面終端長辺部と前記第二の終端長辺部とを接続する傾斜天面部と
を有し」、
「前記光源ユニットは」、「前記対向天面部が前記平板部と対向するように前記電源ケースが前記凹部に収納され、前記傾斜天面部が、前記平板部と前記第二の側壁部とともに仕切る空間を形成している」構成及び配置であるのに対して、
　引用発明は、
「電源装置２４は、電源基板２４１と、電源基板２４１を収納するための収納ケース２４２とを具備し、収納ケース２４２は、取付部材２１の底面部２１１との対向面が開口し且つ前後方向に長い矩形箱状に形成され、開口側が取付部材２１の底面部２１１と対向するようにして、取付部材２１の長手方向において、取付部材２１の底面部２１１の上面の一端部側の両隅にそれぞれ取り付けられた取付ばね２５、取付ばね２５と取付部材２１の底面部２１１の上面の他端部側の両隅にそれぞれ取り付けられた取付ばね２５、取付ばね２５との間に位置するように、取付部材２１の底面部２１１の上面に取り付けられ、
　取付部材２１の底面部２１１の四隅近傍には、取付ばね２５がそれぞれ取り付けられており、器具本体１の凹部１１の四隅近傍に設けられた各係止部に対応する取付ばね２５をそれぞれ係合させることで、電源装置２４が器具本体１の凹部１１内に隙間を有して収容されるようにして、光源ユニット２が器具本体１に取り付けられ、
　光源ユニット２を器具本体１に取り付けた状態において、第１側面部２１２の接触部２１２ｂ及び第２側面部２１３の接触部２１３ｂを凹部１１の対応する側面部１１２にそれぞれ面接触させ、取付部材２１と器具本体１を面接触させることで、取付部材２１から器具本体１への放熱面積を大きくすることができ、これにより器具本体１への放熱効率を高めることができる」構成及び配置である点。
２　相違点についての判断
　相違点について以下検討する。
（１）相違点１について
ア
　引用文献４には、「金具５ａ，５ｂ」（詳細は摘記（４ａ）参照）と記載され、引用文献５には、「透光性カバー２１の上面に器具本体１と装着するためのＶ字ばね３０とＶ字ばね固定部品３１が配設されている」（摘記（５ａ）参照）と記載されているが、これらの連結具に対応する構成は、図面などを参照しても、長手方向へ見て電源ケースと重なるものではない。
　そして、相違点１に係る本願発明の、「光源ユニット」が「備え」る「電源ケース」が、「前記他方の面の前記長手方向へ見て前記一対の連結具と重なるように取り付けられ」、「器具本体」が、「前記一対の連結具と係合する一対のバネ部を有」しているという構成は、上記のいずれの引用文献にも記載も示唆もされていない。
イ
　また、引用発明において、「光源ユニット２」が「具備」する「取付部材２１の底面部２１１の四隅近傍に」「それぞれ取り付けられて」いる「取付ばね２５」を、「器具本体１」側に設けて一対のバネ部の態様となるようにし、「取付部材２」には、それらの「取付ばね２５をそれぞれ係合させる」「各係止部」を設けて一対のバネ部に連結する連結具の態様となるようにし、「光源ユニット２」を、前記一対の連結具が前記一対のバネ部と連結することで「器具本体１」に取り付け、さらに、「光源ユニットが備える電源ケース」を、「取付部材２１の底面部２１１の上面」（他方の面）の長手方向へ見て一対の連結具と重なるように取り付ける動機付けも、上記のいずれの文献にも記載も示唆もされていない。
　要するに、引用発明において、「取付ばね２５」と「係止部」の配置を入れ替えて、さらに、長手方向に見て「電源ケース」と「係止部」が重なるようにする、動機付けがあるとはいえない。
ウ
　したがって、上記相違点１に係る本願発明の構成はいずれの文献にも記載も示唆もされておらず（上記ア）、その構成を想到しようとする動機付けも存在しないから（上記イ）、引用発明において、上記相違点１に係る本願発明の構成とすることは、当業者が容易になし得たとはいえない。
（２）相違点２について
ア
　引用発明の「収納ケース２４２」は、「取付部材２１の底面部２１１との対向面が開口し且つ前後方向に長い矩形箱状に形成され」ている。
イ
　引用文献３（図１３、摘記（３ｂ）参照）には、本願発明のケース対向部に対応する「大面部４１」、対向天面部に対応する「大面部４４」、及び、傾斜天面部に対応する「傾斜面部４７」などを備えた、本願発明の電源ケースと同様の形状の「電源装置用ケース４０」が記載されている。
ウ
　しかしながら、摘記（３ａ）によると、上記イの「電源装置用ケース４０」の形状（特に、「傾斜面部４７」の形状）は、電源装置の配置の自由度を高めるためのものであって、電源装置に実装できる部品数を多くしたり、電源装置の外部において電線が配置される空間を確保したりするためのもの（本願明細書の段落【０００２】、【０００３】参照）ではないから、引用発明の、取り付けられる位置が決められており配置の自由度を高める必要がない「電源装置２４」の「収納ケース２４２」に、引用文献３の「電源装置用ケース４０」の形状を、引用発明の「器具本体１の凹部１１」との関係において、電線が配置される空間を確保することを目的として、適用すべき合理性はなく、さらに、上記アのとおり、引用発明の「収納ケース２４２」は、「矩形箱状」で「開口」を備えており、このように特定されている「収納ケース２４２」の形状を変えようとする動機付けは存在しないから、引用発明において、上記相違点２に係る本願発明の「電源装置２４」の「収納ケース２４２」の形状の構成を採用することは、当業者が容易になし得たとはいえない。
エ
　また、仮に、ウの適用ができたとしても、引用発明の「取付部材２１の底面部２１１の上面」に、引用文献３の対向天面部に対応する「大面部４４」（摘記（３ａ）の段落【００４６】）が接して取り付けられる構成となると予測でき、本願発明の「前記取付部の長手方向に沿い、前記取付部に対向し、かつ、前記他方の面と隙間を隔てて配置されるケース対向部」の構成は得られないし、当該構成は、いずれの文献にも記載も示唆もされていないから（引用文献４のケース対向部に対応する新規電源装置１１の下部は、電源取付金具４に取り付けられており、取付部に対応する光源取付金具３ないし反射板２と対向していない。また、引用文献５のケース対向部に対応する電源回路２８の下部の一部分は、放熱板２３と対向しているが、取付部に対応するのは透光性カバー２１であって、放熱板２３は取付部ではない。）、引用発明において、上記相違点２に係る本願発明の「前記取付部の長手方向に沿い、前記取付部に対向し、かつ、前記他方の面と隙間を隔てて配置されるケース対向部」の構成とすることは、当業者が容易になし得たとはいえない。
　さらに、引用発明の課題（摘記（１ａ）参照）に鑑みると、引用発明の「光源ユニット２を器具本体１に取り付けた状態において、第１側面部２１２の接触部２１２ｂ及び第２側面部２１３の接触部２１３ｂを凹部１１の対応する側面部１１２にそれぞれ面接触させ、取付部材２１と器具本体１を面接触させることで、取付部材２１から器具本体１への放熱面積を大きくすることができ、これにより器具本体１への放熱効率を高めることができる」構成は、必須であり、「凹部１１」の「側面部１１２」のそれぞれには、「第１側面部２１２の接触部２１２ｂ及び第２側面部２１３の接触部２１３ｂ」が「面接触」しており、上記イの適用ができたとしても、引用文献３の傾斜天面部に対応する「傾斜面部４７」（摘記（３ａ）の段落【００４６】）と、「凹部１１」の「側面部１１２」との間には、「第１側面部２１２の接触部２１２ｂ」または「第２側面部２１３の接触部２１３ｂ」が介在する構成となり、上記相違点２に係る本願発明の「前記傾斜天面部が」、「前記第二の側壁部とともに仕切る空間を形成している」構成にはならない。
　要するに、引用発明に、引用文献３に記載の技術事項を適用できたとしても、上記相違点２に係る本願発明の「前記光源ユニットは」、「前記対向天面部が前記平板部と対向するように前記電源ケースが前記凹部に収納され、前記傾斜天面部が、前記平板部と前記第二の側壁部とともに仕切る空間を形成している」構成にはならないし、引用発明において、当該構成とすることは、当業者が容易になし得たとはいえない。
３　小括
　よって、本願発明は、引用発明及び引用文献２ないし５に記載された技術事項に基いて当業者が容易に発明をすることができたものであるとはいえない。
第６　原査定について
　令和１年１１月２８日付けの手続補正により、本願発明は、電源ケースが、「前記他方の面の前記長手方向へ見て前記一対の連結具と重なるように取り付けられ」、器具本体が、「前記一対の連結具と係合する一対のバネ部を有」するという事項、及び、「前記光源ユニットは」、「前記対向天面部が前記平板部と対向するように前記電源ケースが前記凹部に収納され、前記傾斜天面部が、前記平板部と前記第二の側壁部とともに仕切る空間を形成している」という事項を有するものとなっており、上記第５で述べたとおり、拒絶査定において引用された引用発明及び引用文献２ないし５に記載された技術事項に基いて、当業者が容易に発明をすることができたものであるとはいえない。
　したがって、原査定の理由を維持することはできない。
第７　むすび
　以上のとおり、原査定の理由によっては、本願を拒絶すべきものとすることはできない。
　また、他に本願を拒絶すべき理由を発見しない。
　よって、結論のとおり審決する。